(57)【要約】【課題】コンパクトな外形形状を維持しつつ、所望の環状領域を選択的に照射することが可能なＬＥＤ照明モジュールを提供する。【解決手段】ＬＥＤ照明モジュール１は、複数のＬＥＤ１０と、ＬＥＤ１０を保持する環状の保持面２１を有する保持部２０と、を備える。複数のＬＥＤ１０は保持面２１上に保持面２１とは反対側に光を出射するように設置されて環状に並ぶ。保持面２１は、環状の保持面２１の外周側に傾斜する傾斜領域２３を含む。【選択図】図１
2018006008.tif 000002
【特許請求の範囲】
【請求項１】
複数のＬＥＤと、
前記ＬＥＤを保持する環状の保持面を有する保持部と、を備え、
前記複数のＬＥＤは前記保持面上に前記保持面とは反対側に光を出射するように設置されて環状に並び、
前記保持面は、環状の前記保持面の外周側に傾斜する傾斜領域を含む、ＬＥＤ照明モジュール。
【請求項２】
前記ＬＥＤは紫外光を出射する、請求項１に記載のＬＥＤ照明モジュール。
【請求項３】
前記保持部には、環状の溝部が形成されており、
前記保持部は、前記溝部を規定する、
底面と、
前記底面に交差するように前記底面の内周側に配置される内周側壁面と、
前記底面に交差するように前記底面の外周側に配置される外周側壁面と、を含み、
前記底面は前記保持面である、請求項１または２に記載のＬＥＤ照明モジュール。
【請求項４】
前記外周側壁面は、前記傾斜領域に対応する領域において前記保持面の外周側に傾斜している、請求項３に記載のＬＥＤ照明モジュール。
【請求項５】
前記外周側壁面および前記内周側壁面はアルミニウムまたはアルミニウム合金からなる、請求項３または４に記載のＬＥＤ照明モジュール。
【発明の詳細な説明】
【技術分野】
【０００１】
本発明は、ＬＥＤ照明モジュールに関するものである。
【背景技術】
【０００２】
複数のＬＥＤ（Ｌｉｇｈｔ  Ｅｍｉｔｔｉｎｇ  Ｄｉｏｄｅ）を平面的に並べて配置したＬＥＤ照明モジュールが知られている。ＬＥＤ照明モジュールにおいては、たとえば照射対象を均一に照射する構造が採用される（たとえば、特許文献１参照）。
【先行技術文献】
【特許文献】
【０００３】
【特許文献１】特開２０１２−１８１９８２号公報
【発明の概要】
【発明が解決しようとする課題】
【０００４】
ＬＥＤ照明モジュールにおいては、上記特許文献１の場合のように均一な照射が求められる場合のほか、特定の領域、たとえば所望の環状領域を選択的に照射することが求められる場合がある。より具体的には、所望の環状領域を、当該環状領域以外の領域よりも強く照らすことが求められる場合がある。また、ＬＥＤ照明モジュールの取り付け場所の大きさは制限される場合も多く、コンパクトなＬＥＤ照明モジュールによって広い領域の照射が求められる場合もある。
【０００５】
そこで、コンパクトな外形形状を維持しつつ、所望の環状領域を選択的に照射することが可能なＬＥＤ照明モジュールを提供することを目的の１つとする。
【課題を解決するための手段】
【０００６】
本発明に従ったＬＥＤ照明モジュールは、複数のＬＥＤと、ＬＥＤを保持する環状の保持面を有する保持部と、を備える。複数のＬＥＤは保持面上に保持面とは反対側に光を出射するように設置されて環状に並ぶ。保持面は、環状の保持面の外周側に傾斜する傾斜領域を含む。
【発明の効果】
【０００７】
上記ＬＥＤ照明モジュールによれば、コンパクトな外形形状を維持しつつ、所望の環状領域を選択的に照射することが可能なＬＥＤ照明モジュールを提供することができる。
【図面の簡単な説明】
【０００８】
【図１】実施の形態１におけるＬＥＤ照明モジュールの構造を示す概略斜視図である。
【図２】図１の線分ＩＩ−ＩＩに沿う概略断面図である。
【図３】図１の線分ＩＩＩ−ＩＩＩに沿う概略断面図である。
【図４】ＬＥＤ照明モジュールの照射パターンの一例を示す概略平面図である。
【図５】実施の形態２におけるＬＥＤ照明モジュールの構造を示す概略断面図である。
【発明を実施するための形態】
【０００９】
［本願発明の実施形態の説明］
最初に本願発明の実施態様を列記して説明する。本願のＬＥＤ照明モジュールは、複数のＬＥＤと、ＬＥＤを保持する環状の保持面を有する保持部と、を備える。複数のＬＥＤは保持面上に保持面とは反対側に光を出射するように設置されて環状に並ぶ。保持面は、環状の保持面の外周側に傾斜する傾斜領域を含む。
【００１０】
本願のＬＥＤ照明モジュールにおいては、複数のＬＥＤが環状に並ぶ。そのため、環状領域を選択的に照射することができる。また、ＬＥＤを保持する保持面が環状の保持面の外周側に傾斜する傾斜領域を含む。そのため、コンパクトな外形形状を維持しつつ、傾斜領域に配置されるＬＥＤによって照射可能な環状領域を大きくすることができる。このように、本願のＬＥＤ照明モジュールによれば、コンパクトな外形形状を維持しつつ、所望の環状領域を選択的に照射することができる。
【００１１】
上記ＬＥＤ照明モジュールにおいて、ＬＥＤは紫外光を出射するものであってもよい。このようにすることにより、ＬＥＤ照明モジュールを殺菌用途等に使用することが可能となる。
【００１２】
上記ＬＥＤ照明モジュールにおいて、保持部には、環状の溝部が形成されていてもよい。保持部は、溝部を規定する、底面と、底面に交差するように底面の内周側に配置される内周側壁面と、底面に交差するように底面の外周側に配置される外周側壁面と、を含んでいてもよい。底面は上記保持面であってもよい。このように環状の溝部の底面にＬＥＤが配置される構造を採用することにより、所望の環状領域を選択的に照射することが容易となる。
【００１３】
上記ＬＥＤ照明モジュールにおいて、外周側壁面は、傾斜領域に対応する領域において保持面の外周側に傾斜していてもよい。このようにすることにより、傾斜領域に配置されるＬＥＤからの光を外周側に広げることが容易となる。
【００１４】
上記ＬＥＤ照明モジュールにおいて、外周側壁面および内周側壁面はアルミニウムまたはアルミニウム合金からなっていてもよい。加工の容易なアルミニウムおよびアルミニウム合金は、外周側壁面および内周側壁面を構成する材料として好適である。また、アルミニウムおよびアルミニウム合金は、紫外光の反射率が高い。そのため、上記ＬＥＤが紫外光を出射する場合、外周側壁面および内周側壁面をＬＥＤからの光の反射面として利用することが容易となる。
【００１５】
［本願発明の実施形態の詳細］
（実施の形態１）
次に、本発明にかかるＬＥＤ照明モジュールの一実施の形態である実施の形態１を、図１〜図４を参照しつつ説明する。以下の図面において同一または相当する部分には同一の参照番号を付しその説明は繰返さない。
【００１６】
図１を参照して、本実施の形態におけるＬＥＤ照明モジュール１は、複数のＬＥＤ１０と、平面形状が長方形状の保持部２０を備える。長方形の中央に対応する保持部２０の領域には、八角柱状の突出部５３が形成されている。また、長方形の外周に対応する保持部２０の領域には、外周壁５４が形成されている。その結果、突出部５３と外周壁５４との間の領域に環状の溝部５０が形成されている。突出部５３の外周面は、溝部５０の内周側壁面５２に対応する。外周壁５４の内周面は、溝部５０の外周側壁面５１に対応する。溝部５０の底面は、複数のＬＥＤ１０を保持する環状の保持面２１となっている。内周側壁面５２は、底面である保持面２１に交差するように保持面２１の内周側に配置される。外周側壁面５１は、底面である保持面２１に交差するように保持面２１の外周側に配置される。本実施の形態において、保持部２０は、アルミニウムまたはアルミニウム合金からなっている。その結果、外周側壁面５１および内周側壁面５２は、アルミニウムまたはアルミニウム合金からなっている。
【００１７】
保持面２１上には、長方形板状の形状を有する複数の（本実施の形態では１０個の）基板４０が配置されている。基板４０の長手方向（長方形の長辺方向）が環状の保持面２１の周方向に一致するように、基板４０は配置される。基板４０は、たとえばアルミニウムまたはアルミニウム合金からなっている。基板４０は、一方の主面において保持面２１に接触するように配置されている。
【００１８】
基板４０の他方の主面（保持面２１に面する側とは反対側の主面）上に接触するように、ＬＥＤ１０が配置されている。ＬＥＤ１０は、基板４０の保持面２１に面する側とは反対側の主面の長手方向の中央部に配置される。ＬＥＤ１０は、光を出射する出射部１１を有している。本実施の形態において、ＬＥＤ１０は、出射部１１から紫外光を出射する。出射部１１が基板４０とは反対側に位置するように、ＬＥＤ１０は配置される。すなわち、ＬＥＤ１０は、保持面２１上に保持面２１とは反対側に光を出射するように設置されて環状に並ぶ。ＬＥＤ１０を挟むように、一対の配線パターン３０が配置される。各ＬＥＤ１０には、隣接する一対の配線パターン３０を介して電流が供給される。
【００１９】
保持面２１は、ベース領域２２と、傾斜領域２３とを含む。傾斜領域２３は、平面形状が長方形状である保持部２０の長辺の中央に対応する領域に一対配置される。図１および図２を参照して、傾斜領域２３は、環状の保持面２１の外周側に傾斜する。図２を参照して、傾斜領域２３と内周側壁面５２とのなす角は鈍角となっている。傾斜領域２３と外周側壁面５１とのなす角は鋭角となっている。一方、図３を参照して、ベース領域２２と外周側壁面５１および内周側壁面５２とは直交している。
【００２０】
図１を参照して、各傾斜領域２３上には、２つの基板４０と２つのＬＥＤ１０とが配置されている。平面形状が長方形状である保持部２０の長辺に対応する領域において、傾斜領域２３を挟む一対のベース領域２２のそれぞれに１つの基板４０と１つのＬＥＤ１０とが配置される。すなわち、各傾斜領域２３上の２つのＬＥＤ１０を挟むように、ベース領域２２上に配置された一対のＬＥＤ１０が配置されている。平面形状が長方形状である保持部２０の一対の短辺に対応するベース領域２２上には、１つの基板４０と１つのＬＥＤ１０とが配置されている。
【００２１】
次に、ＬＥＤ照明モジュール１の動作について説明する。図４は、照射対象面上におけるＬＥＤ照明モジュールの照射パターンの一例を示す概略平面図である。図１を参照して、電源（図示しない）から配線パターン３０を介して各ＬＥＤ１０に電流が供給されると、ＬＥＤ１０の出射部１１から光（紫外光）が出射する。本実施の形態のＬＥＤ照明モジュール１においては、複数のＬＥＤ１０が環状に並んでいる。そのため、環状領域を選択的に照射することができる。より具体的には、図４を参照して、照射対象面上において、環状の照射領域９１が形成される。照射領域９１の内周側領域９２および外周側領域９３においては、照射領域９１に比べて光（紫外光）の照射強度が小さくなっている。その結果、消費電力を抑制しつつ、所望の環状領域に紫外光が照射される。
【００２２】
また、図３を参照して、ベース領域２２上に配置されたＬＥＤ１０からは、光軸が内周側壁面５２に沿うように（矢印βに沿うように）光が出射される。一方、図２を参照して、傾斜領域２３上に配置されたＬＥＤ１０からは、ＬＥＤ１０から離れるにしたがって光軸が内周側壁面５２から離れるように（矢印αに沿うように）光が出射される。そのため、ＬＥＤ照明モジュール１のコンパクトな外形形状を維持しつつ、傾斜領域２３に配置されるＬＥＤ１０によって照射可能な環状領域が大きくなっている。
【００２３】
以上のように、本実施の形態のＬＥＤ照明モジュール１は、コンパクトな外形形状を維持しつつ、所望の環状領域を選択的に照射することが可能なＬＥＤ照明モジュールとなっている。
【００２４】
また、本実施の形態のＬＥＤ照明モジュール１のＬＥＤ１０は紫外光を出射する。そのため、ＬＥＤ照明モジュール１は殺菌用途等に使用することが可能となっている。
【００２５】
さらに、本実施の形態のＬＥＤ照明モジュール１においては、保持部２０に形成された環状の溝部５０の底面である環状の保持面２１上に複数のＬＥＤ１０が配置されている。そのため、所望の環状領域を選択的に照射することが容易となっている。より具体的には、内周側壁面５２および外周側壁面５１が反射面として機能することにより、ＬＥＤ１０からの光の広がりが抑制されている。その結果、照射領域９１と内周側領域９２および外周側領域９３との光の強度比が大きくなっている。
【００２６】
また、本実施の形態のＬＥＤ照明モジュール１において、保持部２０はアルミニウムまたはアルミニウム合金からなっている。そのため、外周側壁面５１および内周側壁面５２はアルミニウムまたはアルミニウム合金からなっている。加工性に優れたアルミニウムまたはアルミニウム合金からなっていることにより、素材を適切な形状に加工して保持部２０を得ることが容易となっている。さらに、外周側壁面５１および内周側壁面５２が紫外光の反射率の高いアルミニウムまたはアルミニウム合金からなっていることにより、外周側壁面５１および内周側壁面５２をＬＥＤ１０からの紫外光の反射面として利用することが容易となっている。
【００２７】
（実施の形態２）
次に、他の実施の形態である実施の形態２について説明する。図５は、実施の形態２におけるＬＥＤ照明モジュール１の構造を示す概略断面図であって、実施の形態１の図２に対応する図である。実施の形態２におけるＬＥＤ照明モジュール１は、基本的には実施の形態１のＬＥＤ照明モジュール１と同様の構造を有し、同様の効果を奏する。しかし、実施の形態２のＬＥＤ照明モジュール１は、外周壁５４の構造において実施の形態１の場合とは異なっている。
【００２８】
図５を参照して、実施の形態２の外周壁５４は、傾斜領域２３に対応する領域において環状の保持面２１の外周側に傾斜している。その結果、実施の形態２の外周側壁面５１は、傾斜領域２３に対応する領域において保持面２１の外周側に傾斜している。底面である保持面２１から離れるにしたがって外周側壁面５１と内周側壁面５２との距離が大きくなっている。このような構造が採用されることにより、実施の形態２のＬＥＤ照明モジュール１は、傾斜領域２３に配置されるＬＥＤ１０からの光を外周側に広げることが容易となっている。
【００２９】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３０】
本願のＬＥＤ照明モジュールは、コンパクトな外形形状を維持しつつ、所望の環状領域を選択的に照射することが求められるＬＥＤ照明モジュールに、特に有利に適用され得る。
【符号の説明】
【００３１】
１  ＬＥＤ照明モジュール
１０  ＬＥＤ
１１  出射部
２０  保持部
２１  保持面
２２  ベース領域
２３  傾斜領域
３０  配線パターン
４０  基板
５０  溝部
５１  外周側壁面
５２  内周側壁面
５３  突出部
５４  外周壁
９１  照射領域
９２  内周側領域
９３  外周側領域
【図１】
2018006008.tif 000003
【図２】
2018006008.tif 000004
【図３】
2018006008.tif 000005
【図４】
2018006008.tif 000006
【図５】
2018006008.tif 000007